(57)【要約】  砂の輸送及び流動体化した積み降ろしのためのばら積み船（１）の装置であって、積み降ろしパイプ（２４）がばら積み船（１）の船倉（２）の少なくとも一つと連通しており、且つ積み降ろしパイプ（２４）が水中のパイプコネクタ（３０）に接続されている。
2013503780.tif 000002
【特許請求の範囲】
【請求項１】
砂の輸送及び流動体化した積み降ろしのためのばら積み船（１）の装置であって、
積み降ろしパイプ（２４）が前記ばら積み船（１）の船倉（２）の少なくとも一つと連通しており、
前記積み降ろしパイプ（２４）が水中のパイプコネクタ（３０）に接続されていることを特徴とする、装置。
【請求項２】
前記パイプコネクタ（３０）が前記ばら積み船（１）の側面（４６）に位置することを特徴とする、請求項１に記載の装置。
【請求項３】
前記パイプコネクタ（３０）が前記ばら積み船（１）の底部（４６）に位置することを特徴とする、請求項１に記載の装置。
【請求項４】
前記パイプコネクタ（３０）が、前記ばら積み船（１）に接続された第１のコネクタ部（４８）と、砂受取器に接続された開放可能な第２のコネクタ部（５２）と、を備えることを特徴とする、請求項１に記載の装置。
【請求項５】
前記開放可能な第２のコネクタ部（５２）にガイドロープ（５６）が設けられていることを特徴とする、請求項４に記載の装置。
【請求項６】
前記開放可能な第２のコネクタ部（５２）が、前記ばら積み船（１）の上の導入部（５０、９２）に相補的に合致することを特徴とする、請求項４に記載の装置。
【請求項７】
前記積み降ろしパイプ（２４）が海水流入口（３４）に選択的に接続されていることを特徴とする、請求項１に記載の装置。
【請求項８】
前記積み降ろしパイプ（２４）が少なくとも一つの船倉（２）内の排水パイプ（３８）に選択的に接続されていることを特徴とする、請求項１に記載の装置。
【請求項９】
前記積み降ろしパイプ（２４）が排水ポンプ（４０）に選択的に接続されていることを特徴とする、請求項１に記載の装置。
【請求項１０】
前記排水ポンプ（４０）が前記ばら積み船（１）に位置していることを特徴とする、請求項９に記載の装置。
【発明の詳細な説明】
【技術分野】
【０００１】
本発明は、砂の輸送及び流動体化した積み降ろしのためのばら積み船に関する。より具体的には、積み降ろしパイプがばら積み船の船倉の少なくとも一つと連通している、砂の輸送及び流動体化した積み降ろしのためのばら積み船に関する。
【０００２】
以下では、「ばら積み船（bulk ships）」という用語は、英語で「乾燥ばら積み運搬船（dry bulk carriers）」を意味する。
【背景技術】
【０００３】
陸地を得るために海の領域を埋め立てるとき、しばしば大量の物質が必要とされる。従来技術によれば、いわゆる自己積み降ろし浚渫船ＴＳＨＤ（「船尾吸引ホッパー浚渫船」）が、普通は使われる。積み込み場所から積み降ろし場所までの輸送の間に、その物質は船体内のサイロ状の区画に置かれる。物質は、船体の底部を開けることによって、例えば、お互いに対して動かされることが可能なように構成された２つの部分に形成された船殻によって、積み降され得る。
【先行技術文献】
【特許文献】
【０００４】
【特許文献１】米国特許第３４４５００８号明細書
【特許文献２】米国特許第４０３３４７０号明細書
【発明の概要】
【発明が解決しようとする課題】
【０００５】
しかし、言及されているタイプの船体は、大量の物質を長い距離に渡って運搬することに特に適している訳ではなく、特に、外海領域での輸送は問題になる。この理由は、これらの船体が建造及び運行にあたって比較的高価であることを考慮すると、また、それらの比較的制約された運搬容量のために、経済性に関係している。
【０００６】
積み降ろしの前及び間に物質を流動体化することが知られている。そのために、米国特許第３４４５００８号は、船体の船倉の下部が水及び物質をポンプで排出する前に水で満たされる方法及び装置を記述している。
【０００７】
米国特許第４０３３４７０号から、ノズル及び加圧水を使って積荷を流動体化することが知られている。
【０００８】
船倉内での物質の輸送は、一般的に、船倉が閉じられなければならないこと、及び外海での輸送の間に積荷が乾燥していると分類されなければならないことを、必要とする。
【０００９】
浚渫された物質を運搬するためのばら積み船の使用が提案されている。特許出願第１９９８６１０１号は、積荷の表面に置かれるべき積み降ろし装置を記述しており、その装置は、積荷を流動体化してポンプで排出することを可能にするように構成されている。しかし、そのような解決策の積み降ろし容量が不十分であることが証明されてきている。
【００１０】
本発明の目的は、従来技術の不利益の少なくとも一つを取り除くか又は低減することである。
【課題を解決するための手段】
【００１１】
本発明によれば、その目的は、以下の記述及び引き続く請求項に開示されている特徴によって、達成される。
【００１２】
砂の輸送及び流動体化した積み降ろしのためのばら積み船が提供され、積み降ろしパイプがこのばら積み船の船倉の少なくとも一つと連通しており、且つ積み降ろしパイプが水中のパイプコネクタに接続されている。
【００１３】
このタイプのばら積み船は喫水が比較的深く、しばしばタンクトップと称される船倉の床から甲板まで、比較的大きな高さをもたらす結果となる。コネクタを水面下に配置することによって、積み降ろしパイプは、船の甲板を横切って積み降ろしパイプを延長される必要なしに、外部スラリーポンプに接続され得る。
【００１４】
実用的な条件に応じて、パイプコネクタは、好ましくは水中のスラリーポンプが設けられた砂受取器との接続のために、ばら積み船の側面、底部、又はいくつかの他の適切な場所に位置され得る。
【００１５】
パイプコネクタは、ばら積み船に接続された第１のコネクタ部と、砂受取器に接続された開放可能な第２のコネクタ部と、を備え得る。
【００１６】
開放可能な第２のコネクタ部には、コネクタ部に接続されているロープ、ワイヤ、チェーンなどの形態のガイドロープが設けられ得て、そのロープは、典型的には、第２のコネクタ部を第１のコネクタ部の上に引き込むために使用される。
【００１７】
開放可能な第２のコネクタ部はまた、ばら積み船の外側に位置する操作アームによって、第１のコネクタ部の上に又はその内部に移動され得る。
【００１８】
開放可能な第２のコネクタ部は、ばら積み船の上の導入部に合致するように、相補的な形状をし得る。導入部は、例えば漏斗形状であり得て、あるいは、ガイドから構成され得る。
【００１９】
積み降ろしパイプは、海水流入口に選択的に接続され得る。例えば、海水流入口は、積み降ろしに先立って船倉に海水を充填するために、且つスラリーポンプの起動の間に積み降ろしパイプを通して水を流すために、使用され得る。
【００２０】
積み降ろしパイプは、少なくとも一つの船倉内の排水パイプに選択的に接続され得る。それによって、積み降ろしパイプは、流動体化した砂の積み込みの間に、船倉からの過剰な水の排水のために、使用され得る。積み降ろしパイプは、船倉から及びばら積み船の外への過剰な水の輸送のために、排水ポンプに選択的に接続され得る。有利なことには、排水ポンプはばら積み船の船上に置かれ得る。
【００２１】
ばら積み船には、船の側部に閉鎖可能な排水開口が設けられ得て、水が船倉の特定のレベルに達すると、そこを通って放出される。
【００２２】
ばら積み船に沿って延在している積み込みパイプは、船倉に選択的に接続される。流動体化した砂は、積み込みコネクタを介して浚渫器から供給され、所望の船倉内に運ばれ、その内部で、流動体化した砂は広げ装置によって広げられる。
【００２３】
積み込みパイプは、船倉の下部に位置する流動体化パイプに選択的に接続され得る。それによって、砂の流動体化のための水が、積み降ろしの間に、積み込みコネクタ及び積み込みパイプを介して、積み降ろし対象の船倉に向かって供給され得る。
【００２４】
本発明に従った装置は、流動体化した砂のばら積み船からの積み降ろしの間に、外部スラリーポンプの使用を許容する。本発明はこれより、従来のばら積み船がそのような輸送に対して比較的適度なコストで準備され得る限りにおいては、砂の長距離輸送を経済的に実現可能なものにすることに貢献する。
【発明の効果】
【００２５】
本発明によれば、従来技術の不利益の少なくとも一つを取り除くか又は低減することができる。
【図面の簡単な説明】
【００２６】
好適な実施形態の一例が以下に記述されており、且つ添付の図面に描かれている。
【図１】本発明に従って準備されたばら積み船の中央部の側面図を示す図である。
【図２】図１のばら積み船の平面図を示す図である。
【図３】図２の断面ＩＩａ−ＩＩａを示す図である。
【図４】図１の断面Ｉ−Ｉを示す図である。
【図５】図２の断面ＩＩｂ−ＩＩｂを、いくらか大きなスケールで示す図である。
【図６】図２の断面IＩｃ−ＩＩｃを示す図である。
【図７】図２の断面ＩＩｄ−ＩＩｄを示す図である。
【図８】第１のコネクタ部の中に動かされる第２のコネクタ部を有する本発明に従ったパイプコネクタを、より大きなスケールで示す図である。
【図９】第２のコネクタ部を第２のコネクタ部の中に動かした後の図８のパイプコネクタを示す図である。
【図１０】図９の断面を、さらにより大きなスケールで示す図である。
【図１１】パイプコネクタの代替的な実施形態を示す図である。
【発明を実施するための形態】
【００２７】
図面において、参照番号１は、ハッチ４を有する船倉２を備えたばら積み船を示し、船倉２は隔壁６によって区画されている。ハッチ４はまた、積み込み及び積み降ろしの間に閉じられ得る。
【００２８】
本質的に既知の設計の積み込みコネクタ１０に接続された積み込みパイプ８は、ばら積み船１に沿って船倉２の上方を延在する。積み込みパイプ８には、各船倉２に対して積み込みバルブ１２が設けられている。いくつかの船倉２は、積荷のためには使用されない。その理由は、積載荷重（load）に関連する条件であり得て、あるいは、それらが技術的な装置のために割り当てられて（リザーブされて）いるからである。
【００２９】
流入する流動体化された砂を船倉２内に分配するために、分配プレート１４が、各々の積み込みバルブ１２の下に配置されている。
【００３０】
流動体化バルブ１６及び縦樋１８を介して、積み込みパイプ８は、タンクトップ２２の上の本質的に既知の設計の流動体化パイプ２０に接続される。
【００３１】
積み降ろしパイプ２４は、ばら積み船１に沿って隔壁６を通って延在するように、タンクトップ２２の上に配置されている。図３及び図４を参照のこと。それぞれの積み降ろしバルブ２６を介して、積み降ろしパイプ２４は、砂の積荷のために使用される船倉２と連通する。その中央部には、コネクタバルブ２８を介して、積み降ろしパイプ２４はパイプコネクタ３０に接続される。その端部において、流入口バルブ３２を介して、積み降ろしパイプ２４は海水流入口３４に接続されている。
【００３２】
排水バルブ３６を介して、積み降ろしパイプ２４は、本質的に既知の設計の排水タワーの形態の排水パイプ３８に接続される。
【００３３】
三方向ポンプバルブ４２を介して、排水ポンプ４０は、積み降ろしパイプ２４及び海水のためのポンプ流入口４３に接続される。排水ポンプ４０の流出口４４は、ばら積み船１の外側に、水面上又は水面下で放水する。三方向ポンプバルブ４５及び中間パイプ４７を介して、流出口４４は積み込みパイプ８に接続され、流動体化した水が船倉２に送達されることを可能にする。図３及び図５を参照のこと。
【００３４】
この好適な実施形態では、パイプコネクタ３０が、ばら積み船１の船側４６に配置され、第１のコネクタ部４８が、漏斗形状の導入部５０によって船側４６に接続されている。
【００３５】
例えばチューブの形態のフレキシブルなパイプ５４を介して、第２のコネクタ部５２は砂受取器（図示せず）に接続される。第２のコネクタ部５２は、それがガイドロープ５６によって第１のコネクタ部４８に引き込まれることを可能にするように、構成されている。
【００３６】
コネクタバルブ２８を介して、積み降ろしパイプ２４は第１のコネクタ部４８に接続されている。第１のコネクタ部４８は、積み降ろしパイプ２４の外径よりも大きな内径を有する主パイプ５８を備える。主パイプ５８はアダプタスリーブ６０から延在しており、その上に且つ導入部５０に向かって、積み降ろしパイプ２４が接続されている。主パイプ５８は、積み降ろしパイプ２４と船側４６との間のシール接続を形成する。
【００３７】
好ましくは２つのスタッフィングボックス(パッキン箱)６２を解して（図１０を参照のこと）、主ロープ５６が、アダプタスリーブ６０を通って可動な方法で延在している。有利なことには、漏れ検出器（図示せず）がスタッフィングボックス(パッキン箱)６２の間に搭載され得る。
【００３８】
積み降ろしパイプ２４には、第１のコネクタ部４８に向き合っている端部で、円錐状のシール表面６４が形成されている。
【００３９】
内部では、主パイプ５８には２つのリングシールホルダ６６が設けられており、これらは好ましくは、膨張可能なリングシール６８を有している。ガイドスリーブ７０が、リングシールホルダ６６の間に配置されている。
【００４０】
それぞれの引き込みフック７６に各々接続された水力シリンダの形態のアクチュエータ７４が、ガイドスリーブ７０の内部の凹部７２に配置されている。傾斜チャック７８に耐える引き込みフック７６は、主パイプ５８内で積み降ろしパイプ２４に向かって動かされるときに、主パイプ５８に対して内向きに半径方向に動かされることを可能にするように、構成されている。
【００４１】
第２のコネクタ部５２は、外部ガイドパイプ８０と、フレキシブルなパイプ５４に接続された内部パイプ８２とを備えている。その立ち上がり端部で、第２のコネクタ部５２には、積み降ろしパイプ２４の円錐状シール表面６４に相補的に合致するように、内部円錐端リング８４が形成されている。外部ガイドパイプ８０を内部パイプ８２に接続する端リング８４には、ガイドロープ５６のための取り付け具８６が設けられている。引き込みフック７６によって捕捉されることを可能にするように構成されたフックリング８８が、ガイドパイプ８０を取り囲んでいる。
【００４２】
ばら積み船１に積荷が積載されるとき、浚渫器（図示せず）が積み込みコネクタ１０に接続される。積載対象の船倉２に対応する積み込みバルブ１２が開けられ、その後に、流動体化された砂が、積み込みコネクタ１０、積み込みパイプ８、及び特定の積み込みバルブ１２を介して、船倉２内にポンプで入れられる。流動体化された砂は分配プレート１４の上に落下して、船倉２の内部に広げられる。同時に、過剰な水が船倉２から、排水パイプ３８、排水バルブ３６、積み降ろしパイプ２４、ポンプバルブ４２、排水ポンプ４０、及び流出口４４を介して、海に流れ出す。積み込みが完了すると、排水バルブ３６及びポンプバルブ４２が閉じられ、排水ポンプ４０が止められる。
【００４３】
積み降ろしに先立って、一つ又はそれ以上の船倉２に、海水流入口３４、流入口バルブ３２、積み降ろしパイプ２４、及び積み降ろしバルブ２６を介して水が供給され得る。所望の量の水で船倉が満たされると。積み降ろしバルブ２６が閉じられる。
【００４４】
使用されないときには第１のコネクタ部４８を通って船側４６に沿って延在するガイドロープ５６は、取り付け具８６によって、第２のコネクタ部５２の端リング８４に接続される。
【００４５】
それから、第２のコネクタ部５２は、第２のコネクタ部５２がガイドスリーブ７０に引き込まれている図８に示されるように、ガイドロープ５６によって、導入部５０及び第１のコネクタ部４８を通って引き込まれる。図９で、第２のコネクタ部５２は、第１のコネクタ部４８の内部の接続位置にあり、アクチュエータ７４が、それぞれの引き込みフック７６を動かしてフックリング８８に突き当てており、且つ円錐状端リング８４を動かして円錐状シール表面６４に対してシール状態で突き当てている。端シール６８は、ガイドパイプ８０に対してシールするように活性化されている。漏れ検出器（図示せず）が、リングシール６８の間に配置され得る。
【００４６】
それから、コネクタバルブ２８が開かれ得て、スラリーポンプ（図示せず）が起動され得る。これより水が、海水流入口３４から、積み降ろしパイプ２４、コネクタバルブ２８、パイプコネクタ３０、及びフレキシブルなパイプ５４を介して循環され得る。流入口バルブ３２が閉じられて特定の積み降ろしバルブ２６が開けられると、流動体化された砂が船倉２からばら積み船１の外に、積み降ろしバルブ２６、積み降ろしパイプ２４、コネクタバルブ２８、及びパイプコネクタ３０を介して流れ出る。
【００４７】
船倉２内の砂の流動体化のための海水は、積み込みコネクタ１０、積み込みパイプ８、特定の流動体化バルブ１６、縦樋１８、及び流動体化パイプ２０を介して、ポンプで入れられる。あるいは、流動体化のための海水は、ポンプ流入口４３、ポンプバルブ４２、排水ポンプ４０、三方向バルブ４５、及び中間パイプ４７を介して、積み込みパイプ８内にポンプで入れられ得る。
【００４８】
積み降ろしが実行されると、第２のコネクタ部５２は、上述のように、ただし逆の順序で、第１のコネクタ部４８から切り離される。
【００４９】
代替的な実施形態では（図１１を参照のこと）、パイプコネクタ３０には、パイプフランジ９０が設けられた第２のコネクタ部５２が形成されている。パイプフランジ９０は、船側４６に固定されたガイド形状の導入部９２の内部で移動可能である。パイプフランジ９０は、第１のコネクタ部４８のシール部９４に対応しており、シール部９４は拡張可能なシール９６を備えている。シール部９４においてガイド形状の導入部９２は、船側４６に向かう方向に付勢され得る。
【００５０】
この代替的な実施形態にしたがって第２のコネクタ部５２が第１のコネクタ部４８に接続されるべきとき、パイプフランジ９０は、ガイド形状の導入部９２の内部で係合するように動かされて、その後に、第２のコネクタ部５２がガイド形状の導入部９２に沿って、パイプフランジ９０がシール部９４に対応するまで動かされて、そのときにシール９６が活性化される。切り離しは、逆の順序で実行される。
【符号の説明】
【００５１】
１  ばら積み船、２  船倉、４  ハッチ、６  隔壁、８  パイプ、１０  コネクタ、１２  積み込みバルブ、１４  分配プレート、１６  流動体化バルブ、１８  縦樋、２０  流動体化パイプ、２２  タンクトップ、２４  積み降ろしパイプ、２６  積み降ろしバルブ、２８  コネクタバルブ、３０  コネクタ、３２  流入口バルブ、３４  海水流入口、３６  排水バルブ、排水パイプ、４０  排水ポンプ、４２  三方向ポンプバルブ、４３  ポンプ流入口、４４  流出口、４５  三方向ポンプバルブ、４６  船側、４７  中間パイプ、４８  第１のコネクタ部、５０  導入部、５２  第２のコネクタ部、５４  フレキシブルなパイプ、５６  ガイドロープ、５８  主パイプ、６０  アダプタスリーブ、６２  スタッフィングボックス、６４  シール表面、６６  リングシーリングホルダ、７０  ガイドスリーブ、７２  凹部、７４  アクチュエータ、７６  引き込みフック、７８  傾斜チャック、８０  外部ガイドパイプ、８２  内部パイプ、８４  内部円錐端リング、８６  取り付け具、８８  フックリング、９０  パイプフランジ、９２  導入部、９４  シール部、９６  シール。
【図１】
2013503780.tif 000003
【図２】
2013503780.tif 000004
【図３】
2013503780.tif 000005
【図４】
2013503780.tif 000006
【図５】
2013503780.tif 000007
【図６】
2013503780.tif 000008
【図７】
2013503780.tif 000009
【図８】
2013503780.tif 000010
【図９】
2013503780.tif 000011
【図１０】
2013503780.tif 000012
【図１１】
2013503780.tif 000013
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
砂の輸送及び流動体化した積み降ろしのためのばら積み船（１）の装置であって、
積み降ろしパイプ（２４）が前記ばら積み船（１）の船倉（２）の少なくとも一つと連通しており、且つ前記積み降ろしパイプ（２４）が水中のパイプコネクタ（３０）に接続されており、
前記積み降ろしパイプ（２４）が一つより多くの船倉（２）を通過し且つ一つより多くのバルブ２６によって前記船倉（２）の各々に接続可能であることを特徴とする、装置。
【請求項２】
前記パイプコネクタ（３０）が前記ばら積み船（１）の側面（４６）に位置することを特徴とする、請求項１に記載の装置。
【請求項３】
前記パイプコネクタ（３０）が前記ばら積み船（１）の底部に位置することを特徴とする、請求項１に記載の装置。
【請求項４】
前記パイプコネクタ（３０）が、前記ばら積み船（１）に接続された第１のコネクタ部（４８）と、砂受取器に接続された開放可能な第２のコネクタ部（５２）と、を備えることを特徴とする、請求項１に記載の装置。
【請求項５】
前記開放可能な第２のコネクタ部（５２）にガイドロープ（５６）が設けられていることを特徴とする、請求項４に記載の装置。
【請求項６】
前記開放可能な第２のコネクタ部（５２）が、前記ばら積み船（１）の上の導入部（５０、９２）に相補的に合致することを特徴とする、請求項４に記載の装置。
【請求項７】
前記積み降ろしパイプ（２４）が海水流入口（３４）に選択的に接続されていることを特徴とする、請求項１に記載の装置。
【請求項８】
前記積み降ろしパイプ（２４）が少なくとも一つの船倉（２）内の排水パイプ（３８）に選択的に接続されていることを特徴とする、請求項１に記載の装置。
【請求項９】
前記積み降ろしパイプ（２４）が排水ポンプ（４０）に選択的に接続されていることを特徴とする、請求項１に記載の装置。
【請求項１０】
前記排水ポンプ（４０）が前記ばら積み船（１）に位置していることを特徴とする、請求項９に記載の装置。
【国際調査報告】
2013503780.tif 000014
2013503780.tif 000015